(57)【要約】    【課題】  温風で髪を乾かすとともにマイナスイオンを発生するヘアドライヤーにおいて、十分な量のマイナスイオンを広範囲に放出できるようにする。    【解決手段】  ハウジング３と、ハウジング３の吐出口１から温風を吐出させるファン５及びヒータ１０と、マイナスイオンを発生するマイナスイオン発生器６と、マイナスイオン発生器６に導通し、温風の吐出方向に垂直な流路断面の中央部分をリング状に取り囲む、導電性の囲み部材７と、を備えている。この導電性の囲み部材７に、温風へマイナスイオンを放出する複数の尖端部８を配置する。【選択図】  図１
2006198045.tif 000002
【特許請求の範囲】
【請求項１】
ハウジングと、
前記ハウジングの吐出口から温風を吐出させるファン及びヒータと、
マイナスイオンを発生するマイナスイオン発生器と、
前記マイナスイオン発生器に導通し、前記温風の吐出方向に垂直な流路断面の中央部分をリング状に取り囲む、導電性の囲み部材と、を備え、
前記導電性の囲み部材に、前記温風へマイナスイオンを放出する複数の尖端部が配置された、ヘアドライヤー。
【請求項２】
ハウジングと、
前記ハウジングの吐出口から温風を吐出させるファン及びヒータと、
マイナスイオンを発生するマイナスイオン発生器と、を備え、
前記マイナスイオン発生器に導通し前記温風へマイナスイオンを放出する複数の尖端部が、前記温風の吐出方向に垂直な流路断面の中央部分を少なくとも３方向から取り囲んで配置された、ヘアドライヤー。
【発明の詳細な説明】
【技術分野】
【０００１】
本発明は、髪に温風をあてて乾かすためのヘアドライヤーに関し、特に、マイナスイオン発生器を備えたヘアドライヤーに関する。
【背景技術】
【０００２】
温風で髪を乾かすとともにマイナスイオンを発生して髪に好影響を与えるヘアドライヤーが知られている。この種のヘアドライヤーは、例えばファン及びヒータを備えた筒状ハウジング内の送風路に、イオン発生器に接続された針状のイオン電極を配置して構成されている。イオン発生器によりイオン電極に高電圧を印加してその尖端から放電を生じさせることで、空気中の酸素や水等をマイナスイオン化し、ファンから送出されて来る空気流によりマイナスイオンを髪に吹き付けることができる。マイナスイオンを髪に吹き付けると、プラスに帯電していることが多い毛髪を電気的に中和でき、さらに毛髪の内部深くまで水分を浸透させて水分率を高め、髪に好影響を与えることができるとされている。
【０００３】
このようなヘアドライヤーにおいて、十分な量のマイナスイオンを髪に到達させるための工夫が種々行われている。
【０００４】
例えば特開２００３−７９４２１号公報では、ファンおよびモータを収容する筒状の本体ケースと、イオン発生器で生成されたイオンを移行案内するイオン通路とを備えたヘアドライヤーであって、本体ケースの一端に設けられた吹出グリルのほぼ中央に上記イオン通路が配置され、このイオン通路の出口が吹出グリルの外面に突出したものが提案されている。
この提案は、吹出口から出た主たる空気流の中心にイオンを包み込んだ状態でイオンを髪まで送給しようとしたもので、送風経路におけるイオンの拡散、中和消滅を解消することを狙ったものである。
【０００５】
また例えば特開２００４−２０８９３５号公報では、温風を送風する温風流路と、温風流路の周辺に配置され冷風を送風する冷風流路と、冷風流路にマイナスイオンを放出するイオン発生部とを備えたヘアドライヤーが提案されている。
この提案は、イオン分子及びこれに含まれる水分子の温度が低くエネルギーが低い状態で毛髪に付着させることにより、毛髪に付着したイオン分子が蒸発することなく髪に残った状態とすることを狙ったものである。
【特許文献１】特開２００３−７９４２１号公報
【特許文献２】特開２００４−２０８９３５号公報
【発明の開示】
【発明が解決しようとする課題】
【０００６】
しかしながら、上記各公報のいずれの提案によっても、髪に到達するマイナスイオンを実際に測定してみると、イオンの量及びイオンの放出範囲が必ずしも十分ではなかった。
【０００７】
例えば上記特開２００３−７９４２１号公報で提案されたものを実装したヘアドライヤーでは、吐出される空気流の中心部分でのイオン量は比較的多いが、イオンが中心部分に集中しておりその周辺の空気流におけるイオン量が十分ではなかった。
【０００８】
また例えば上記特開２００４−２０８９３５号公報で提案されたものを実装したヘアドライヤーでは、イオンの量、範囲いずれも十分ではなかった。
【０００９】
そこで本発明は、温風で髪を乾かすとともにマイナスイオンを発生するヘアドライヤーにおいて、十分な量のマイナスイオンを広範囲に放出できるようにすることを課題とするものである。
【課題を解決するための手段】
【００１０】
（１）上記課題を解決するため、本発明のヘアドライヤーは、
ハウジングと、
前記ハウジングの吐出口から温風を吐出させるファン及びヒータと、
マイナスイオンを発生するマイナスイオン発生器と、
前記マイナスイオン発生器に導通し、前記温風の吐出方向に垂直な流路断面の中央部分をリング状に取り囲む、導電性の囲み部材と、を備え、
前記導電性の囲み部材に、前記温風へマイナスイオンを放出する複数の尖端部が配置されたものである。
【００１１】
十分な量のマイナスイオンを広範囲に放出できるようにするためには、単に大量のマイナスイオンを発生させるだけでは不十分である。例えば、上記特開２００３−７９４２１号公報で指摘されているように生成されたマイナスイオンが旋回する空気流の中に拡散し、分布密度が低下することもある。また例えば、上記特開２００４−２０８９３５号公報で指摘されているように高温のマイナスイオンは高いエネルギーを持ち、空気中に蒸散しやすい状態になる。
【００１２】
本発明者は、イオンを放出する尖端部の配置及び形状や、尖端部の周辺に配置される部材について、種々試行錯誤を行った。その結果、温風の吐出方向に垂直な流路断面の中央部分をリング状に取り囲む、導電性の囲み部材を備え、この囲み部材に、前記温風へマイナスイオンを放出する複数の尖端部を配置することにより、十分な量のマイナスイオンを広範囲に放出できることを見出した。
【００１３】
ここで、流路断面の中央部分をリング状に取り囲む導電性の囲み部材は、リング状の１体の部材とすることが好ましいが、囲み部材の途中に複数の切れ目を設けて複数の部材としても良い。
また、導電性の囲み部材に配置された複数の尖端部は、３個又はそれ以上設けることが望ましいが、これに限られるものではない。
【００１４】
導電性の囲み部材の近傍には、アース端子を設けることが望ましく、このアース端子は、囲み部材に接続することなく囲み部材の近傍に配置する。このようなアース端子を設けることにより、より安定してイオンを放出することができる。
また、導電性の囲み部材は、ハウジングの吐出口付近に設けられるのが好ましく、ハウジングの内周面付近に、この内周面に沿って設けられるのが好ましい。
【００１５】
（２）また、本発明の他のヘアドライヤーは、
ハウジングと、
前記ハウジングの吐出口から温風を吐出させるファン及びヒータと、
マイナスイオンを発生するマイナスイオン発生器と、を備え、
前記マイナスイオン発生器に導通し前記温風へマイナスイオンを放出する複数の尖端部が、前記温風の吐出方向に垂直な流路断面の中央部分を少なくとも３方向から取り囲んで配置されたものである。
【００１６】
この構成では、上述のようなリング状に取り囲む囲み部材はなくても良い。この構成に関する本発明者の実験によれば、上述のようなリング状に取り囲む囲み部材を備えたものほど優れた結果にはならなかったが、十分な量のマイナスイオンを広範囲に放出できることが確認できた。
【００１７】
複数の尖端部の近傍には、アース端子を設けることが望ましく、このアース端子は、尖端部に接続することなく尖端部の近傍に配置する。このようなアース端子を設けることで、より安定してイオンを放出することができる。
また、複数の尖端部は、ハウジングの吐出口付近に設けられるのが好ましく、それぞれハウジングの内周面付近に設けられるのが好ましい。
【発明の効果】
【００１８】
このように本発明によれば、温風で髪を乾かすとともにマイナスイオンを発生するヘアドライヤーにおいて、十分な量のマイナスイオンを広範囲に放出できるようにすることができる。
【発明を実施するための最良の形態】
【００１９】
次に、本発明の具体例である実施形態について、図面を参照して説明する。
【００２０】
＜１．第１実施形態＞
＜１−１．内部の構成及び作用＞
図１は、本発明の第１実施形態に係るヘアドライヤーを側面から見た内部透視図であり、一部を切り欠いて示したものである。このヘアドライヤーは、一端を吐出口１、他端を吸込口２とした筒状のハウジング３と、ハウジング３内に配置された、モータ４及びその駆動軸に固定されたファン５、マイナスイオン発生器６並びにヒータ１０と、を備えている。
【００２１】
モータ４は交流電源に接続された直流モータであり、ファン５を一定方向に回転させる。これによりファン５は吐出口１に向かって空気流を発生させる。ヒータプレート１１に支持されたヒータ１０は同じ交流電源に接続された電熱線であり、通電時に熱を発生し、その熱により空気流を加熱する。これらファン５及びヒータ１０により、ハウジング３の吐出口１から温風を吐出させる。この吐出口１には、図示しない送風フードを着脱可能に設けるようにしても良い。
【００２２】
マイナスイオン発生器６も同じ交流電源に接続され、高電圧を発生してイオン電極の尖端部８から放電を生じさせることで、マイナスイオンを発生する。
本実施形態の尖端部８は、導電性の囲み部材７に配置されていることを特徴としており、この尖端部８は、囲み部材７から温風の吐出方向に突出して複数設けられている。
囲み部材７は、上記温風の吐出方向に垂直な流路断面の中央部分をリング状に取り囲んでおり、ヒータプレート１１に支持され、ハウジング３の吐出口１付近に配置されている。この囲み部材７が、マイナスイオン発生器６に接続されている。
【００２３】
モータ４からは、アース線９が引き出されており、このアース線９は導電性の囲み部材７の近傍にまで延びている。このアース線９の先端がアース端子となっており、囲み部材７やその周辺の部材（ヒータプレート１１など）に接続することなく囲み部材７の近傍に配置される。
【００２４】
図２は、上記第１実施形態に係るヘアドライヤーのうちの吐出口を示す正面図である。（Ａ）乃至（Ｄ）の各図は第１実施形態における種々の変形を示しており、図２（Ａ）は尖端部８が３個、図２（Ｂ）は尖端部８が４個、図２（Ｃ）は尖端部８が５個、図２（Ｄ）は尖端部８が６個の場合の例を示している。尖端部８の数は、図示したように３個又はそれ以上設けることが望ましいが、これに限られるものではなく、２個でもよい。尖端部８同士の間隔は図示のようにほぼ均等とすることが望ましいが、均等でなくても良い。
【００２５】
図２（Ａ）乃至（Ｄ）のいずれの例においても、囲み部材７が流路断面の中央部分をリング状に取り囲んでおり、特に囲み部材７がリング状の一体の部材で構成されている。
図２（Ａ）及び（Ｂ）の例では、囲み部材７は切れ目のないリング形状となっているのに対し、図２（Ｃ）及び（Ｄ）の例では、囲み部材７は切れ目が一箇所形成されている。
切れ目の数は複数でも良く、その場合は、囲み部材７は複数の部材から形成され、それぞれに対してマイナスイオン発生器６が接続されることになる。
【００２６】
また、導電性の囲み部材７は、ハウジング３の内周面付近に、この内周面に沿って設けられるのが好ましい。
【００２７】
＜１−２．回路の構成及び作用＞
図３は、上記第１実施形態に係るヘアドライヤーの回路図である。ＡＣ１００Ｖ等の交流電源が接続される両端子間に、バッファ用のフィルムコンデンサＣが接続されたのち、一方の端子には電源ＯＮ／ＯＦＦ用のメインスイッチＳＷ１が、他方の端子には配線ショート時などにおける電源遮断用の温度ヒューズＦＵＳＥが接続されている。そして、マイナスイオン発生器６に相当するイオン発生器ＩＯＮ、後述の直流モータ用整流器Ｄ１、およびヒータ１０に相当するヒータＨＲが、上記メインスイッチＳＷ１及び温度ヒューズＦＵＳＥを介して交流電源に並列に接続されている。
【００２８】
メインスイッチＳＷ１は、交流電源側端子からイオン発生器ＩＯＮ及び直流モータ用整流器Ｄ１に接続される端子（以下「ＩＯＮ−Ｄ１端子」という）と、ヒータＨＲに接続される端子（以下「ＨＲ端子」という）とに分岐する３端子構成となっている。このメインスイッチＳＷ１は、イオン発生器ＩＯＮ及び整流器Ｄ１に対して交流電源を接続／遮断できるとともに、これらイオン発生器ＩＯＮ及び整流器Ｄ１に対して交流電源を接続した状態でのみ、交流電源をヒータＨＲに対して接続／遮断できるようになっている。つまり、このメインスイッチＳＷ１は、交流電源をイオン発生器ＩＯＮ、直流モータ用整流器Ｄ１、およびヒータＨＲに接続した状態（温風）／イオン発生器ＩＯＮと直流モータ用整流器Ｄ１にのみ接続した状態（冷風）／全体を遮断した状態（ＯＦＦ）の３段階にスイッチングするＨＯＴ／ＣＯＯＬ／ＯＦＦスイッチとして機能する。
【００２９】
メインスイッチＳＷ１のＩＯＮ−Ｄ１端子に接続された配線は、更にイオン発生器ＩＯＮ側と、整流器Ｄ１側とに分岐される。このうちイオン発生器ＩＯＮ側に分岐した配線には、イオン発生器ＩＯＮが接続されるとともにイオンスイッチＳＷ３が設けられ、イオン発生器のみを電源から遮断できるようになっている。また、イオンスイッチＳＷ３と直列に、かつイオン発生器ＩＯＮと並列に、発光ダイオードＬＥＤが接続されている。これにより、イオン発生器ＩＯＮに通電されている時、すなわちメインスイッチＳＷ１及びイオンスイッチＳＷ３を導通状態にした時には、発光ダイオードＬＥＤが発光し、イオン発生中であることを表示することができる。なお、発光ダイオードＬＥＤに直列に、電圧降下及び整流のための抵抗素子Ｒ１及びダイオードＤ３が接続されている。
【００３０】
メインスイッチＳＷ１のＩＯＮ−Ｄ１端子からイオン発生器側への配線と分かれて直流モータ用整流器Ｄ１側に分岐した配線は、電圧降下用の抵抗素子ＭＲを介して、整流器Ｄ１の入力端子（交流端子）の一方に接続される。整流器Ｄ１は、良好な整流を得るためにブリッジ回路となっており、その出力端子間に、モータ４に相当する直流モータＭが接続される。直流モータＭの端子（整流器Ｄ１の出力端子）には、抵抗器Ｒ２を含む導電材料を介して、アース線９が引き出されている。特に、図示のように直流モータのマイナス側端子から、アース線９を引き出すことが望ましい。
【００３１】
メインスイッチＳＷ１のＨＲ端子によってヒータＨＲ側に分岐した配線は、そのままヒータＨＲの一方の端子に接続される。ヒータＨＲに直列にサーモスタットＴＨが接続されており、ヒータが一定温度を超えている期間中はヒータＨＲへの電力供給が遮断される。
【００３２】
直流モータ用整流器Ｄ１の他方の入力端子（交流端子）と、ヒータＨＲの他方の端子とは共通にされ、その合流点より電源側に、セレクションスイッチＳＷ２が接続されている。セレクションスイッチＳＷ２には、ダイオードＤ２が並列に接続されている。従って、セレクションスイッチＳＷ２が導通状態にあるときは直流モータ用整流器Ｄ１及びヒータＨＲに大きな電流が供給される。これに対し、セレクションスイッチＳＷ２が遮断状態にあるときは、直流モータ用整流器Ｄ１及びヒータＨＲに対してはダイオードＤ２のみを介しての電力供給となるので、直流モータ用整流器Ｄ１及びヒータＨＲに供給される電流が小さくなる。従って、セレクションスイッチＳＷ２の開閉により直流モータ用整流器Ｄ１及びヒータＨＲの出力を増減することができる。
【００３３】
セレクションスイッチＳＷ２の交流電源側端子と、イオン発生器ＩＯＮの他方の端子（メインスイッチＳＷ１と反対側）とは共通にされ、更に交流電源側の温度ヒューズＦＵＳＥに接続される。
【００３４】
なお、アース線９をモータ以外の配線部分に接続することも考え得るが、他の配線部分には交流電圧がかかっているので好ましくない。手持ち型のヘアドライヤーでは人体にアースすることも考え得るが、感電を起こすことも考えられ好ましくない。これに対し、直流モータＭの端子は、交流電源から整流器Ｄ１（本実施形態では更に抵抗素子ＭＲ）を経ているため、電位の絶対値が低く安定している。例えば抵抗素子ＭＲを１００〜２００Ωとした場合、直流モータの端子電圧をＤＣ２０〜３５Ｖ程度とすることができる。かかるモータ端子の電位は、高電圧が印加されるイオン電極の電位に比べれば実質上無視できる。よって、直流モータＭの端子からアース線９を引き出すことが有用である。
【００３５】
アース線９のアース端子と直流モータＭの端子との間には、抵抗器Ｒ２を介在させることが望ましい。これにより、一方から他方への急激な電流漏れを回避することができる。
【００３６】
＜１−３．第１実施形態の効果＞
以上の第１実施形態によれば、温風の吐出方向に垂直な流路断面の中央部分をリング状に取り囲む、導電性の囲み部材７を備え、この囲み部材７に、前記温風へマイナスイオンを放出する複数の尖端部８を配置することにより、十分な量のマイナスイオンを広範囲に放出することができる。
このような効果が得られる理由は必ずしも明らかではないが、１つには温風の吐出方向に垂直な流路断面の周縁部分からマイナスイオンが放出されるので、適度に外気と触れることでマイナスイオンが適度に冷やされることが考えられる。
【００３７】
また導電性の囲み部材７を備えることで、容易に複数の尖端部８を配置することができる。特に、複数の尖端部８を配置するための製造コストが低く、組付け作業が容易なヘアドライヤーとすることができる。また、多数の尖端部８を配置して放出範囲を一層拡大することも容易となる。
【００３８】
また第１実施形態によれば、囲み部材７の近傍にアース端子９を設けることにより、囲み部材７の周辺の部材の電位を安定させることができるので、より安定してイオンを放出することができる。
【００３９】
＜２．第２実施形態＞
図４は、本発明の第２実施形態に係るヘアドライヤーを側面から見た内部透視図であり、一部を切り欠いて示したものである。このヘアドライヤーは、マイナスイオン発生器６を筒状のハウジング３内ではなく取っ手側に設けた点で、図１に示した第１実施形態と異なる。それ以外の点は第１実施形態と同様であり、同様の効果を奏するので、詳細な説明を省略する。
なお、マイナスイオン発生器６だけでなく、例えばモータ４の位置も任意であり、ハウジング３の吐出口１から温風を吐出させる構成になっていれば良い。
【００４０】
＜３．第３実施形態＞
図５は、本発明の第３実施形態に係るヘアドライヤーを側面から見た内部透視図であり、一部を切り欠いて示したものである。このヘアドライヤーは、図１に示した第１実施形態の囲み部材７に相当する部分を備えておらず、マイナスイオン発生器６のイオン端子から分岐して直接複数の尖端部８に接続されている点で第１実施形態と異なっている。
【００４１】
図６は、上記第３実施形態に係るヘアドライヤーのうちの吐出口を示す正面図である。（Ａ）乃至（Ｄ）の各図は第３実施形態における種々の変形を示しており、図６（Ａ）は尖端部８が３個、図６（Ｂ）は尖端部８が４個、図６（Ｃ）は尖端部８が５個、図６（Ｄ）は尖端部８が６個の場合の例を示している。尖端部８は、図示のように少なくとも３方向から、温風の吐出方向に垂直な流路断面の中央部分を取り囲んで配置する。尖端部８同士の間隔は図示のようにほぼ均等とすることが望ましいが、均等でなくても良い。これらの尖端部８は、ハウジング３の吐出口１付近に設けられるのが好ましく、それぞれハウジング３の内周面付近に設けられるのが好ましい。
【００４２】
また、第１実施形態と同様に、複数の尖端部３の近傍には、アース線９のアース端子を配置することが望ましく、このアース端子は、尖端部８に接続することなく尖端部８の近傍に配置する。このようなアース端子を設けることにより、尖端部８の周辺の部材の電位を安定させることができるので、より安定してイオンを放出することができる。
上記以外の点は第１実施形態と同様であり、第２実施形態のような配置変更が可能である点も同様であるので、詳細な説明を省略する。
【００４３】
本第３実施形態のヘアドライヤーは、本発明者の実験によれば、上述のようなリング状に取り囲む囲み部材７を備えた第１実施形態ほど優れた結果にはならなかったが、十分な量のマイナスイオンを広範囲に放出することができた。
なお、第１乃至第３実施形態と異なり、導電性の囲み部材７も備えておらず、尖端部８も２つだけにして流路断面の左右２箇所にのみ配置したヘアドライヤーについても実験を行ったが、十分な量のマイナスイオンを広範囲に放出するという本発明の効果を奏することはできなかった。
【００４４】
以上の各実施形態は本発明の具体例を示すものであり、特許請求の範囲に記載した発明概念の範囲内で適宜に変更・追加等を行うことができる。例えば、ヘアドライヤーの各構成部材の形状、材質、寸法、部材の数、結合方法などは上記の各実施形態に拘泥すべきものではない。
【図面の簡単な説明】
【００４５】
【図１】本発明の第１実施形態に係るヘアドライヤーを側面から見た内部透視図であり、一部を切り欠いて示したものである。
【図２】上記第１実施形態に係るヘアドライヤーのうちの吐出口を示す正面図である。
【図３】上記第１実施形態に係るヘアドライヤーの回路図である。
【図４】本発明の第２実施形態に係るヘアドライヤーを側面から見た内部透視図であり、一部を切り欠いて示したものである。
【図５】本発明の第３実施形態に係るヘアドライヤーを側面から見た内部透視図であり、一部を切り欠いて示したものである。
【図６】上記第３実施形態に係るヘアドライヤーのうちの吐出口を示す正面図である。
【符号の説明】
【００４６】
１…吐出口、２…吸込口、３…ハウジング、４、Ｍ…モータ、５…ファン、６、ＩＯＮ…マイナスイオン発生器、７…囲み部材、８…尖端部、９…アース線、１０、ＨＲ…ヒータ、１１…ヒータプレート
【図１】
2006198045.tif 000003
【図２】
2006198045.tif 000004
【図３】
2006198045.tif 000005
【図４】
2006198045.tif 000006
【図５】
2006198045.tif 000007
【図６】
2006198045.tif 000008